(57)【要約】  【課題】運動施設に対して所定の運動プログラムの映像を配信する処理を行う運動プログラムの映像配信処理システムに関し、インストラクタ不在であっても運動プログラムのプレイを可能とすると共に、プレイヤに対して満足度の高い運動プログラムを提供することを目的とする。  【解決手段】複数の運動プログラム名及び当該運動プログラムの指導映像ファイル名を運動プログラム情報ＤＢ２９に格納しておき、アンケート情報集計手段２５が各端末から送信されてくるアンケート情報に基づいて人気度の集計処理を行い、運動プログラム特定手段２６が人気度の高い所定数の提供運動プログラム名を特定してこれらの情報を当該ＤＢ２９より読み出し、映像配信ファイル作成手段２７が各運動施設サーバに対して配信ファイルを作成して配信すると共に、当該提供運動プログラムの指導映像ファイルを配信させる構成とする。  【選択図】  図２
2007065958.tif 000002
【特許請求の範囲】
【請求項１】
所定数の端末、及び運動を行う運動施設に設置されて映像再生システムを備える所定数の運動施設サーバが接続される通信ネットワークに、データ授受自在に接続される運動プログラムの映像配信処理システムであって、
少なくとも、複数の運動プログラムに関する運動プログラム名、及び当該運動プログラムの指導映像を特定するファイル名が格納される運動プログラム情報格納手段と、
前記端末のそれぞれから送信されてくる当該アンケート情報を格納するアンケート情報格納手段と、
前記端末のそれぞれに対して前記各運動プログラムに関するアンケート情報を送信させると共に、前記アンケート情報格納手段より格納されているアンケート情報を読み出し、人気度の集計処理を行って当該人気度の高い所定数の提供運動プログラム名を特定し、特定した提供運動プログラム名に関する情報を前記運動プログラム情報格納手段より読み出すアンケート情報処理手段と、
前記運動プログラム情報格納手段より読み出した提供運動プログラムに関する情報のファイルを作成して前記各運動施設サーバに配信すると共に、当該提供運動プログラム名で特定される前記指導映像ファイルを当該各運動施設サーバに配信させる映像配信処理手段と、
を有することを特徴とする運動プログラムの映像配信処理システム。
【請求項２】
請求項１記載の運動プログラムの映像配信処理システムであって、
前記運動プログラム名に対応したそれぞれの指導映像ファイルを格納する映像蓄積格納手段を備え、
前記映像配信処理手段が前記提供運動プログラム名に対応した指導映像ファイルを前記各運動施設サーバに配信することを特徴とする運動プログラムの映像配信処理システム。
【請求項３】
請求項１記載の運動プログラムの映像配信処理システムであって、
前記運動プログラム名に対応した指導映像ファイルを格納する映像蓄積格納手段を備える映像配信サーバが前記通信ネットワークに接続され、
前記映像配信処理手段が当該映像配信サーバに対して前記提供運動プログラム名に対応した指導映像ファイルを前記各運動施設サーバに配信させる指示ファイルを送信することで該当の指導映像ファイルを配信させることを特徴とする運動プログラムの映像配信処理システム。
【請求項４】
請求項１記載の運動プログラムの映像配信処理システムであって、
前記運動プログラムに対応した指導映像ファイルは、実時間で配信されるものであり、当該指導映像ファイルを撮影する撮影手段を備えることを特徴とする運動プログラムの映像配信処理システム。
【請求項５】
請求項１記載の運動プログラムの映像配信処理システムであって、
前記運動プログラムに対応する指導映像ファイルを作成する撮影手段を備える映像配信サーバが前記通信ネットワークに接続され、
前記映像配信処理手段が当該映像配信サーバに対して前記提供運動プログラム名に対応した指導映像ファイルを前記各運動施設サーバに配信させる指示ファイルを送信することで、当該指示ファイルに従って当該映像配信サーバにより上記撮影手段で撮影した指導映像ファイルを作成させて実時間で配信させることを特徴とする運動プログラムの映像配信処理システム。
【請求項６】
請求項１〜５の少なくとも何れかに記載の運動プログラムの映像配信処理システムであって、
前記各端末より送信されてくるアンケート情報は、所定の運動プログラムに対する投票数に関連する情報であることを特徴とする運動プログラムの映像配信処理システム。
【請求項７】
請求項１〜５の少なくとも何れかに記載の運動プログラムの映像配信処理システムであって、
前記各端末より送信されてくるアンケート情報は、所定の運動プログラムに対する評価値の情報であることを特徴とする運動プログラムの映像配信処理システム。
【請求項８】
請求項１〜７の少なくとも何れかに記載の運動プログラムの映像配信処理システムであって、
前記運動プログラム情報格納手段は各運動プログラムに対する附帯情報をそれぞれ格納すると共に、前記アンケート情報格納手段がアンケート情報を送信した端末に関する情報を格納するもので、
前記アンケート情報処理手段が特定した提供運動プログラム名及び当該提供運動プログラム名に基づいて上記運動プログラム情報格納手段より読み出した附帯情報を表した配信ファイルを作成して配信する顧客配信ファイル作成手段を備えることを特徴とする運動プログラムの映像配信処理システム。
【発明の詳細な説明】
【技術分野】
【０００１】
本発明は、運動施設に対して所定の運動プログラムの映像を配信する処理を行う運動プログラムの映像配信処理システムに関する。
【背景技術】
【０００２】
近年、スポーツクラブやフィットネスクラブ等が広く展開されてきており、提供される運動プログラム（運動メニュー）においても幅広いプレイヤに対応して詳細化され、プログラム数が増加傾向にある。また、プレイヤの運動形態も多様化し、上記フィットネスクラブ等の他に体育館や広スペースルーム等においてインストラクタの指導の元に実技することも行われている。このようなインストラクタによって直接に実技指導を行わせる一方で、インストラクタがその場に居合わせなくとも、プレイヤに対して実技指導することを可能ならしめることが要望される。
【０００３】
従来、映像等を利用してトレーニングをサポートする手法が下記の特許文献で提案されている。下記特許文献には、インターネットを介して運動のトレーニーをトレーニングするトレーナーをサポートするトレーナーサポート装置が提案され、具体的には、トレーニーのトレーニング画像を受信し、当該トレーニング画像からトレーニーに指摘すべきトレーニーの指摘体勢を表す指摘体勢画像を特定し、当該指摘体勢画像に基づいてトレーナーがコメントを埋め込んだアドバイス画像を作成してトレーニーに送信する構成のものが開示されている。
【０００４】
【特許文献１】特開２００２−３４６０１２号公報
【発明の開示】
【発明が解決しようとする課題】
【０００５】
しかしながら、上記特許文献で提案されている手法は、一人のインストラクタと一人のトレーニー（プレイヤ）との間で画像を用いてトレーニングをサポートしようとするものであり、複数のプレイヤに所定の運動プログラムを提示し、提供することには不適である。しかも運動プログラムは提示側より一方的に提供するのが一般的であり、プレイヤの利用度の低下を招くという問題がある。
【０００６】
そこで、本発明は上記課題に鑑みなされたもので、インストラクタ不在であっても運動プログラムのプレイを可能とすると共に、プレイヤに対して満足度の高い運動プログラムを提供する運動プログラムの映像配信処理システムを提供することを目的とする。
【課題を解決するための手段】
【０００７】
上記課題を解決するために、請求項１の発明では、所定数の端末、及び運動を行う運動施設に設置されて映像再生システムを備える所定数の運動施設サーバが接続される通信ネットワークに、データ授受自在に接続される運動プログラムの映像配信処理システムであって、少なくとも、複数の運動プログラムに関する運動プログラム名、及び当該運動プログラムの指導映像を特定するファイル名が格納される運動プログラム情報格納手段と、前記端末のそれぞれから送信されてくる当該アンケート情報を格納するアンケート情報格納手段と、前記端末のそれぞれに対して前記各運動プログラムに関するアンケート情報を送信させると共に、前記アンケート情報格納手段より格納されているアンケート情報を読み出し、人気度の集計処理を行って当該人気度の高い所定数の提供運動プログラム名を特定し、特定した提供運動プログラム名に関する情報を前記運動プログラム情報格納手段より読み出すアンケート情報処理手段と、前記運動プログラム情報格納手段より読み出した提供運動プログラムに関する情報のファイルを作成して前記各運動施設サーバに配信すると共に、当該提供運動プログラム名で特定される前記指導映像ファイルを当該各運動施設サーバに配信させる映像配信処理手段と、を有する構成とする。
【０００８】
請求項２、３の発明は、「前記運動プログラム名に対応したそれぞれの指導映像ファイルを格納する映像蓄積格納手段を備え、前記映像配信処理手段が前記提供運動プログラム名に対応した指導映像ファイルを前記各運動施設サーバに配信する」構成であり、
「前記運動プログラム名に対応した指導映像ファイルを格納する映像蓄積格納手段を備える映像配信サーバが前記通信ネットワークに接続され、前記映像配信処理手段が当該映像配信サーバに対して前記提供運動プログラム名に対応した指導映像ファイルを前記各運動施設サーバに配信させる指示ファイルを送信することで該当の指導映像ファイルを配信させる」構成である。
【０００９】
請求項４、５の発明は、「前記運動プログラムに対応した指導映像ファイルは、実時間で配信されるものであり、当該指導映像ファイルを撮影する撮影手段を備える」構成であり、
「前記運動プログラムに対応する指導映像ファイルを作成する撮影手段を備える映像配信サーバが前記通信ネットワークに接続され、前記映像配信処理手段が当該映像配信サーバに対して前記提供運動プログラム名に対応した指導映像ファイルを前記各運動施設サーバに配信させる指示ファイルを送信することで、当該指示ファイルに従って当該映像配信サーバにより上記撮影手段で撮影した指導映像ファイルを作成させて実時間で配信させる」構成である。
【００１０】
請求項６、７の発明は、「前記各端末より送信されてくるアンケート情報は、所定の運動プログラムに対する投票数に関連する情報である」構成であり、
「前記各端末より送信されてくるアンケート情報は、所定の運動プログラムに対する評価値の情報である」構成である。
【００１１】
請求項８の発明は、「前記運動プログラム情報格納手段は各運動プログラムに対する附帯情報をそれぞれ格納すると共に、前記アンケート情報格納手段がアンケート情報を送信した端末に関する情報を格納するもので、前記アンケート情報処理手段が特定した提供運動プログラム名及び当該提供運動プログラム名に基づいて上記運動プログラム情報格納手段より読み出した附帯情報を表した配信ファイルを作成して配信する顧客配信ファイル作成手段を備える」構成である。
【発明の効果】
【００１２】
本発明によれば、複数の運動プログラムに関する運動プログラム名、及び当該運動プログラムの指導映像を特定するファイル名を運動プログラム情報格納手段に格納しておき、端末のそれぞれから送信されてくるアンケート情報をアンケート情報格納手段に格納し、当該アンケート情報を読み出して人気度の集計処理を行って当該人気度の高い所定数の提供運動プログラム名を特定し、特定した提供運動プログラム名に関する情報に関する情報のファイルを作成して各運動施設サーバに配信すると共に、当該提供運動プログラム名で特定される指導映像ファイルを当該各運動施設サーバに配信させる構成とすることにより、運動施設サーバに所定の提供運動プログラムの指導映像ファイルを配信することからインストラクタ不在であっても運動プログラムのプレイを可能とすると共に、顧客からのアンケート情報に基づいて提供運動プログラムを特定することからプレイヤに対して満足度の高い運動プログラムを提供することができるものである。
【発明を実施するための最良の形態】
【００１３】
以下、本発明の最良の実施形態を図により説明する。
図１に、本発明に係る映像配信処理サーバのネットワーク接続の概念図を示す。図１において、運動プログラムの映像配信処理システムである映像配信処理サーバ１１及び映像配信サーバ１２がインターネットや広域ＬＡＮ（Ｌｏｃａｌ  Ａｒｅａ  Ｎｅｔｗｏｒｋ）等の通信ネットワーク１３に接続され、当該通信ネットワーク１３に所定数の顧客端末１４Ａ〜１４Ｎ及び所定数の運動施設サーバ１５Ａ〜１５Ｎが接続される。本実施形態では、上記映像配信サーバ１２を単独のサーバとして説明するが、映像配信処理サーバ１１に含むものとしてもよい。
【００１４】
上記映像配信処理サーバ１１は、詳細は図２で説明するが、複数の運動プログラムに関する運動プログラム名、及び当該運動プログラムの指導映像を特定するファイル名を予め格納しておき、顧客端末１４Ａ〜１４Ｎ等のそれぞれから送信されてくるアンケート情報を格納し、当該アンケート情報を読み出して人気度の集計処理を行って当該人気度の高い所定数の提供運動プログラム名を特定し、特定した提供運動プログラム名に関する情報に関する情報のファイルを作成して各運動施設サーバ１５Ａ〜１５Ｎに配信すると共に、当該提供運動プログラム名で特定される指導映像ファイルを、ここでは映像配信サーバ１２より当該各運動施設サーバ１５Ａ〜１５Ｎに配信させる構成である。また、顧客端末１４Ａ〜１４Ｎに対して特定した提供運動プログラムに関する情報を配信する構成でもある。
【００１５】
上記映像配信サーバ１２は、詳細は図４で説明するが、ここでは運動プログラム名に対応した指導映像ファイルを格納しておき、映像配信処理サーバ１１より提供運動プログラム名に対応した指導映像ファイルを各運動施設サーバ１５Ａ〜１５Ｎに配信させる指示ファイルを受信したときに該当の指導映像ファイルを配信する構成である。
【００１６】
上記顧客端末１４Ａ〜１４Ｎは、所定の運動施設で運動を行うプレイヤである顧客が所持するパーソナルコンピュータや携帯電話等を意味し、所定の運動プログラムに関するアンケート情報を、通信ネットワーク１３を介して映像配信処理サーバ１１に送信し、当該映像配信処理サーバ１１より所定の提供運動プログラムのリスト等の電子メールを受信する。
【００１７】
上記運動施設サーバ１５Ａ〜１５Ｎは、詳細は図５で説明するが、運動を行う運動施設に設置されて映像再生システムを備えるもので、基本的には映像配サーバ１２より配信されてくる指導映像ファイルを運動施設内のプレイルーム等において所定数のプレイヤに対して再生する。当該各運動施設サーバ１５Ａ〜１５Ｎにはそれぞれ入力端末１６Ａ〜１６Ｎが接続され、当該入力端末１６Ａ〜１６Ｎより顧客（プレイヤ）が通信ネットワーク１３を介して映像配信処理サーバ１１にアンケート情報を送信可能としている。すなわち、上記顧客端末１４Ａ〜１４Ｎ及び入力端末１６Ａ〜１６Ｎによりアンケート情報を送信するための端末が構成される。
【００１８】
ここで、図２に、図１の映像配信処理サーバのブロック構成図を示す。図２において、映像配信処理サーバ１１は、適宜、制御手段２１、送受信手段２２、ＲＡＭ２３、アンケート情報格納手段２４、アンケート情報集計手段２５、運動プログラム特定手段２６、映像配信処理手段である映像配信ファイル作成手段２７、顧客配信ファイル作成手段であるメールファイル作成手段２８及び運動プログラム情報格納手段である運動プログラム情報ＤＢ（データベース）２９を備える。上記アンケート情報集計手段２５及び運動プログラム特定手段２６によりアンケート情報処理手段が構成される。
【００１９】
上記制御手段２１は、当該サーバを統括的に制御するもので、そのためのコンピュータプログラムを備える。上記送受信手段２２は、通信ネットワーク１３を介して上記映像配信サーバ１２、顧客端末１４Ａ〜１４Ｎや運動施設サーバ１５Ａ〜１５Ｎ（入力端末１６Ａ〜１６Ｎを含む）とのデータ授受の整合性を図るためのハードウェアである。上記ＲＡＭ２３は、データの一時記憶のためのメモリであり、主に処理のための作業領域となる。
【００２０】
上記アンケート情報格納手段２４は、顧客端末１４Ａ〜１４Ｎ及び入力端末１６Ａ〜１６Ｎから送信されてくる各運動プログラムに関するアンケート情報及びここでは送信した顧客端末１４Ａ〜１４Ｎ及び入力端末１６Ａ〜１６Ｎの情報（通信アドレス等）を格納するもので、メモリ等の記憶媒体やハードディスク等の記憶装置である。アンケート情報は、ここでは所定の運動プログラムに対する投票数に関連する情報である（図７で説明する）。
【００２１】
上記アンケート情報集計手段２５は、顧客端末１４Ａ〜１４Ｎ及び入力端末１６Ａ〜１６Ｎのそれぞれに対して各運動プログラムに関するアンケート情報を送信させるためのアンケート送信ファイルを作成して送信すると共に、アンケート情報の取得後にアンケート情報格納手段２４より格納されているアンケート情報を読み出し、人気度の集計処理（後述する）を行うもので、そのためのコンピュータプログラムを備え、ＲＡＭ２３に展開されて実行される。
【００２２】
上記運動プログラム特定手段２６は、上記アンケート情報集計手段２５で集計処理された各運動プログラムのうち、人気度の高い所定数の提供運動プログラム名を特定し、特定した提供運動プログラム名に関する情報を運動プログラム情報ＤＢ２９より読み出すもので、そのためのコンピュータプログラムを備え、ＲＡＭ２３に展開されて実行される。
【００２３】
上記映像配信ファイル作成手段２７は、運動プログラム情報ＤＢ２９より読み出した提供運動プログラムに関する情報（ここでは配信スケジュール）のファイルを作成して各運動施設サーバ１５Ａ〜１５Ｎに配信すると共に、当該提供運動プログラム名で特定される指導映像ファイルを当該各運動施設サーバ１５Ａ〜１５Ｎより配信させる指示ファイルを作成して送信するもので、そのためのコンピュータプログラムを備え、ＲＡＭ２３に展開されて実行される。
【００２４】
上記メールファイル作成手段２８は、運動プログラム特定手段２６が特定した提供運動プログラム名（又は提供運動プログラムの配信スケジュール）及び当該提供運動プログラム名に基づいて上記運動プログラム情報ＤＢ２９より読み出した附帯情報（後述する）を表した配信ファイルを作成し、ここではアンケート情報を送信した顧客端末１４Ａ〜１４Ｎであって配信希望の端末に対して配信するもので、そのためのコンピュータプログラムを備え、ＲＡＭ２３に展開されて実行される。
【００２５】
上記運動プログラム情報ＤＢ２９は、詳細は図３で説明するが、少なくとも、複数の運動プログラムに関する運動プログラム名、及び当該運動プログラムの指導映像を特定するファイル名が格納され、適宜これら運動プログラムの附帯情報が格納されるもので、メモリ、記録ディスク等の記憶媒体や、ハードディスク等の内蔵型記憶装置、又は外部記憶装置で構成される。
【００２６】
ここで、図３に、図２の運動プログラム情報ＤＢの一例の説明図を示す。図３において、運動プログラム情報ＤＢ２９は、少なくとも運動プログラム名及び当該運動プログラムの映像のファイル名が関連付けられて格納される。運動プログラム名は、運動内容を示して独自に命名したもので、例えば図に示すように「はじめてエアロ」、「青竹ビクス」等である。映像のファイル名は対応の運動プログラムの指導映像を特定するファイル名であり、後述の映像配信サーバ１２の映像ＤＢ（３６）に格納された映像に関連付けられたものである。
【００２７】
また、上記運動プログラム名の運動プログラムにそれぞれ対応した附帯情報が格納される。附帯情報としては、例えば、対象者、インストラクタ名、運動時間、運動プログラムの目的、動作ポイント、運動強度の説明、難度の説明、推定消費カロリー、受講時の注意事項等があり、当該運動プログラム名に関連付けられて格納されるものである。
【００２８】
続いて、図４に、図１の映像配信サーバのブロック構成図を示す。図４において、映像配信サーバ１２は、運動プログラム名に対応したそれぞれの指導映像ファイルを格納するものとして、適宜、制御手段３１、送受信手段３２、ＲＡＭ３３、映像取得手段３４及び映像ＤＢ３６を備え、また適宜撮影手段である撮影カメラ３７を備える。
【００２９】
上記制御手段３１は、当該サーバを統括的に制御するもので、そのためのコンピュータプログラムを備える。上記送受信手段３２は、通信ネットワーク１３を介して上記映像配信処理サーバ１１、各運動施設サーバ１５Ａ〜１５Ｎ（入力端末１６Ａ〜１６Ｎを含む）とのデータ授受の整合性を図るためのハードウェアである。上記ＲＡＭ３３は、データの一時記憶のためのメモリであり、主に処理のための作業領域となる。
【００３０】
ここで、映像ＤＢ３６は、各運動プログラムに対応する指導映像をファイルとして格納しておくメモリ、記録ディスク等の記憶媒体や、ハードディスク等の内蔵型記憶装置、又は外部記憶装置であり、上記映像配信処理サーバ１１の運動プログラム情報ＤＢ２９に格納されている内容のうちのファイル名に対応付けられている。上記映像取得手段３４は、映像ＤＢ３６に指導映像を格納する際にはインストラクタによる指導運動を撮影カメラ３７により撮影して指導映像ファイルとして格納し、一方指導映像を配信する際には映像ＤＢ３６に格納されている対応の指導映像ファイルを取得するもので、そのためのコンピュータプログラムを備え、ＲＡＭ３３に展開されて実行される。
【００３１】
上記送信ファイル作成手段３５は、映像配信処理サーバ１１からの指示ファイルに従って該当の指導映像ファイルを所定の運動施設サーバ１５Ａ〜１５Ｎに配信するための送信ファイルを作成して送信するもので、そのためのコンピュータプログラムを備え、ＲＡＭ３３に展開されて実行されるものである。
【００３２】
また、図５に、図１の運動施設サーバのブロック構成図を示す。図５において、運動施設サーバ１５Ａ〜１５Ｎには、上述のように入力端末１６Ａ〜１６Ｎが接続されると共に、映像再生システム４７が接続される。入力端末１６Ａ〜１６Ｎは、例えば顧客が所定の運動プログラムに対するアンケート情報（ここでは投票）を通信ネットワーク１３を介して映像配信処理サーバ１１に送信可能とするもので、所定の入力手段及び表示手段を備える。映像再生システム４７は、映像を表示するディスプレイ、映像再生の再生装置及び音声再生のオーディオ装置とで構成されるもので、運動施設（プレイルーム等）に設置されるものである。
【００３３】
上記運動施設サーバ１５Ａ〜１５Ｎは、適宜、制御手段４１、送受信手段４２、ＲＡＭ４３、映像格納手段４４、ファイル格納手段４５及び映像再生処理手段４６を備える。上記制御手段４１は、当該サーバを統括的に制御するもので、そのためのコンピュータプログラムを備える。上記送受信手段４２は、通信ネットワーク１３を介して上記映像配信処理サーバ１１、映像配信サーバ１２とのデータ授受の整合性を図るためのハードウェアである。上記ＲＡＭ４３は、データの一時記憶のためのメモリであり、主に処理のための作業領域となる。
【００３４】
上記映像格納手段４４は、上記映像配信サーバ１２により配信されてくる指導映像ファイルを格納するもので、例えばメモリ、記録ディスク等の記憶媒体や、ハードディスク等の内蔵型記憶装置、又は外部記憶装置で構成される。上記ファイル格納手段４５は、映像配信処理サーバ１１より配信されてくる配信スケジュールや配信対象の運動プログラム名のリスト等のファイルを格納するもので、例えば上記同様にメモリ、記録ディスク等の記憶媒体や、ハードディスク等の内蔵型記憶装置、又は外部記憶装置で構成される。
【００３５】
そして、映像再生処理手段４６は、再生対象の指導映像ファイルを映像格納手段４４より抽出して映像再生システム４７に送出するもので、そのためのコンピュータプログラムを備え、ＲＡＭ４３に展開されて実行されるものである。
【００３６】
そこで、図６に、図１の映像配信処理サーバにおける配信スケジュール及び映像配信の処理フローチャートを示す。また、図７に顧客によるアンケート情報取得のための表示画面の説明図を示すと共に、図８に図６における配信スケジュールファイル及び配信メールファイルの一例の説明図を示す。
【００３７】
図６における図６（Ａ）は、映像配信に関する処理フローチャートであり、図６（Ｂ）は図６（Ａ）のアンケート集計処理（ステップ（Ｓ）３）の処理フローチャートである。図６（Ａ）において、映像配信処理サーバ１１は、まず、上記顧客端末１４Ａ〜１４Ｎ及び運動施設サーバ１５Ａ〜１５Ｎを介在させた入力端末１６Ａ〜１６Ｎからのアンケート情報を取得してアンケート情報格納手段２４に格納する（Ｓ１）。
【００３８】
上記顧客端末１４Ａ〜１４Ｎ及び入力端末１６Ａ〜１６Ｎからのアンケートは、これら端末からのアクセスに応じてアンケート情報集計手段２５がアンケート画面ファイルを作成（又は予め用意してある画面）して通信ネットワーク１３を介して送信する。一例として、まず図７（Ａ）に示すように、運動プログラム投票画面として「希望曜日帯、時間帯枠での投票」、「希望日時枠での投票」、「全フリー枠での投票」を選択させる。
【００３９】
上記運動プログラム投票画面において「希望曜日帯、時間帯枠での投票」が選択された場合には、図７（Ｂ）に示すように、アンケート情報集計手段２５が曜日帯・時間帯枠での投票画面の画面ファイルを作成（又は予め用意してある画面）して当該端末に送信する。例えば、運動プログラム名を入力枠に入力させるもので、入力に際して参照ボタンで各運動プログラムが選択可能としている。このとき、曜日帯としては、例えば平日、休日を選択させ、時間帯としては、例えば午前、昼間、午後、夕方、夜間を選択させて送信ボタンにより送信させる。このことにより、曜日帯、時間帯における運動プログラムがアンケート情報の一票として特定される。
【００４０】
また、上記運動プログラム投票画面において「希望日時枠での投票」が選択された場合には、図７（Ｃ）に示すように、アンケート情報集計手段２５が日時指定枠での投票画面の画面ファイルを作成（又は予め用意してある画面）して当該端末に送信する。例えば、運動プログラム名を入力枠に入力させるもので、入力に際して参照ボタンで各運動プログラムが選択可能としている。このとき、曜日としては、例えば日、月、火、水、木、金、土の曜日を選択させ、時間としては、数字を入力させて送信ボタンにより送信させる。このことにより、日時における運動プログラムがアンケート情報の一票として特定される。
【００４１】
さらに、上記運動プログラム投票画面において「全フリー枠での投票」が選択された場合には、図７（Ｄ）に示すように、アンケート情報集計手段２５が全フリー枠での投票画面の画面ファイルを作成（又は予め用意してある画面）して当該端末に送信する。例えば、運動プログラム名を入力枠に入力させるもので、入力に際して参照ボタンで各運動プログラムが選択可能としている。このことにより、単に一の運動プログラムがアンケート情報の一票として特定されるものである。
【００４２】
図６（Ａ）に戻り、上記アンケート情報は所定期間で限るものとして、所定期間経過まで各顧客端末１４Ａ〜１４Ｎ及び入力端末１６Ａ〜１６Ｎからのアンケート情報を取得して格納する（Ｓ２）。所定期間が経過すると（Ｓ２）、アンケート情報集計手段２５がアンケート情報をアンケート情報格納手段２４より読み出し、集計処理するもので、集計に基づいて運動プログラム特定手段２６が所定数の提供運動プログラムを特定し、当該提供運動プログラムに基づいて配信スケジュール（一例を図８（Ａ）で説明する）を作成する（Ｓ３）。上記集計処理は図６（Ｂ）で説明する。
【００４３】
そして、映像配信ファイル作成手段２７が、作成した配信スケジュール及び当該配信スケジュールに対応した運動プログラムの指導映像に関する映像配信ファイルを作成して各運動施設サーバ１５Ａ〜１５Ｎに配信すると共に、当該対象の指導映像ファイルを各運動施設サーバ１５Ａ〜１５Ｎに配信させる指示ファイルを作成して映像配信サーバ１２に配信する（Ｓ４）。上述のように映像配信サーバ１２は、指示ファイルに従って各運動施設サーバ１５Ａ〜１５Ｎに対応の提供運動プログラムの指導映像ファイルを配信するものである。
【００４４】
また、メールファイル作成手段２８は、投票した顧客であって、配信希望（顧客全員でもよい）の顧客端末１４Ａ〜１４Ｎに対して当該配信スケジュール及びスケジュールに対応した提供運動プログラムの附帯情報のメールファイル（一例を図８（Ｂ）で説明する）を作成して配信するものである（Ｓ５）。
【００４５】
ここで、上記図６（Ａ）のステップ（Ｓ）３におけるアンケート情報集計手段２５での集計処理は、図６（Ｂ）に示すように、例えば、まず読み出したアンケート情報より運動プログラム名を名寄せし（Ｓ１１）、投票数の多い順（人気の高い順）に並べ替えて例えば上位１０プログラムをピックアップする（Ｓ１２）。続いて、最高順位の運動プログラムについて、共通項目（曜日、曜日帯、時間、時間帯）で括り、何れかの項目で多かった曜日、時間で特定した運動プログラムを対象として特定する（Ｓ１３）。同数の場合には、例えば曜日、時間、曜日帯、時間帯に順位を付して優先順位から選択して特定する。
【００４６】
また、二位以降の運動プログラム毎に、上位の運動プログラムの日時等以外の日時で選択して特定し（Ｓ１４）、選択決定した順位毎の運動プログラムについて配信スケジュールを作成するものである（Ｓ１５）。
【００４７】
そして、各運動施設サーバ１５Ａ〜１５Ｎに配信するために作成された配信スケジュールは、図８（Ａ）に示すように、例えば曜日と時間（時間帯）に顧客の人気度の高い運動プログラムを、運動プログラム名及び対応の指導映像ファイル名を配置したものとして作成されるものである。また、顧客端末１４Ａ〜１４Ｎに配信する配信ファイル（メールファイル）は、図８（Ｂ）に示すように、人気度の高かった提供運動プログラム名及び運動プログラム情報ＤＢ２９より読み出した当該提供運動プログラム名に付随する附帯情報（スケジュール、対象者、インストラクタ名、運動時間、運動プログラムの目的、動作ポイント、運動強度の説明、難度の説明、推定消費カロリー、受講時の注意事項等）を表示させたものとして作成されるものである。
【００４８】
ここで、図９に、本発明に係る映像配信処理システムにおける他のアンケート情報による映像配信等の説明図を示す。図９（Ａ）は、アンケートの入力画面の説明図、図９（Ｂ）は映像配信に関する処理フローチャートである。上記実施形態におけるアンケートの内容は所定の運動プログラムに対する投票数で人気度の高い運動プログラムを特定したが、ここでは各運動プログラムに対する評価値で人気度の高い運動プログラムを特定するものである。
【００４９】
図９（Ａ）において、顧客端末１４Ａ〜１４Ｎ及び入力端末１６Ａ〜１６Ｎからのアンケートに関するアクセスがあると、アンケート情報集計手段２５が運動プログラム評価画面のファイルを作成又は予め用意された当該ファイルをアクセス要求の端末に送信する。例えば、運動プログラム名を入力枠に入力させるもので、入力に際して参照ボタンで各運動プログラムが選択可能としている。このとき、評価として、例えば５段階で選択させて送信ボタンにより送信させる。このことにより、対応の運動プログラムの評価値がアンケート情報として特定されるものである。
【００５０】
上記運動プログラムの評価に基づく映像配信の処理は、図９（Ｂ）に示すように、映像配信処理サーバ１１が、まず、上記顧客端末１４Ａ〜１４Ｎ及び運動施設サーバ１５Ａ〜１５Ｎを介在させた入力端末１６Ａ〜１６Ｎからのアンケート情報（運動プログラムの評価）を取得してアンケート情報格納手段２４に格納する（Ｓ２１）。上記アンケート情報は所定期間で限るものとして、所定期間経過まで各顧客端末１４Ａ〜１４Ｎ及び入力端末１６Ａ〜１６Ｎからのアンケート情報を取得して格納する（Ｓ２２）。
【００５１】
所定期間が経過すると（Ｓ２２）、アンケート情報集計手段２５がアンケート情報をアンケート情報格納手段２４より読み出し、集計処理するもので、集計に基づいて運動プログラム特定手段２６が所定数の提供運動プログラムを特定し、当該提供運動プログラムに基づいて図８（Ａ）に示すような配信スケジュールを作成する（Ｓ２３）。上記集計処理及びプログラム特定としては、例えば運動プログラム名で名寄せして評価ポイントを累積すれば、評価ポイントの高い順が人気度の高い運動プログラムとなり、上位から所定数をピックアップすることで特定することができるものである。
【００５２】
そして、映像配信ファイル作成手段２７が、人気度の高い運動プログラムとして特定した提供運動プログラムに関する情報としての運動プログラムのリスト、及び当該運動プログラムの指導映像に関する映像配信ファイルを作成して各運動施設サーバ１５Ａ〜１５Ｎに例えばお勧めとして配信すると共に、当該対象の指導映像ファイルを各運動施設サーバ１５Ａ〜１５Ｎに配信させる指示ファイルを作成して映像配信サーバ１２に配信する（Ｓ２４）。上述のように映像配信サーバ１２は、指示ファイルに従って各運動施設サーバ１５Ａ〜１５Ｎに対応の提供運動プログラムの指導映像ファイルを配信するものである。
【００５３】
また、メールファイル作成手段２８は、投票した顧客であって、配信希望（顧客全員でもよい）の顧客端末１４Ａ〜１４Ｎに対して、図８（Ｂ）に示すような、お勧めとしての運動プログラムのリスト及び当該対応したお勧めの運動プログラムの附帯情報のメールファイルを作成して配信するものである（Ｓ２５）。
【００５４】
なお、図９では、運動プログラムの評価のみをアンケート情報として上記のようにお勧めの提供運動プログラムを特定してリストを作成する場合を示したが、特定した提供運動プログラムに基づいて上述のような配信スケジュールを作成してもよく、また、上述の図７に示すような投票のアンケート情報に含ませてもよいものである。
【００５５】
このように、各運動施設サーバ１５Ａ〜１５Ｎに所定の提供運動プログラムの指導映像ファイルを配信することからインストラクタ不在であっても運動プログラムのプレイを可能とさせることができ、顧客からのアンケート情報に基づいて提供運動プログラムを特定することからプレイヤに対して満足度の高い運動プログラムを提供することができるものである。
【００５６】
ところで、上記実施形態では、各運動プログラムに対する指導映像ファイルを映像ＤＢ２６に予め格納しておく場合を示したが、映像配信サーバ１２から各運動施設サーバ１５Ａ〜１５Ｎに対して指導映像ファイルを配信するにあたって実時間で行ってもよい。この場合、図４に示すように撮影カメラ３７でインストラクタによる運動指導を撮影しながら通信ネットワーク１３を介して配信し、各運動施設サーバ１５Ａ〜１５Ｎ側においてはそのまま映像表示を行わせるものであり、映像格納手段４４に映像表示のためのバッファ的な役割をさせるものである。これにより、その場にインストラクタが不在であっても運動プログラムのプレイを可能とさせることができるものである。
【００５７】
また、上述のように、映像配信サーバ１２を映像配信処理サーバ１１に含ませることによっても、上記同様に映像配信処理サーバ１１から各運動施設サーバ１５Ａ〜１５Ｎに所定の提供運動プログラムの指導映像ファイルを配信することからインストラクタ不在であっても運動プログラムのプレイを可能とさせることができ、顧客からのアンケート情報に基づいて提供運動プログラムを特定することからプレイヤに対して満足度の高い運動プログラムを提供することができるものである。
【産業上の利用可能性】
【００５８】
本発明の運動プログラムの映像配信処理システムは、インストラクタ等が配置されていない運動施設に対して運動プログラムの内容を指導実技させるための映像を配信するシステムに適用可能とする。
【図面の簡単な説明】
【００５９】
【図１】本発明に係る映像配信処理サーバのネットワーク接続の概念図である。
【図２】図１の映像配信処理サーバのブロック構成図である。
【図３】図２の運動プログラム情報ＤＢの一例の説明図である。
【図４】図１の映像配信サーバのブロック構成図である。
【図５】図１の運動施設サーバのブロック構成図である。
【図６】図１の映像配信処理サーバにおける配信スケジュール及び映像配信の処理フローチャートである。
【図７】顧客によるアンケート情報取得のための表示画面の説明図である。
【図８】図６における配信スケジュールファイル及び配信メールファイルの一例の説明図である。
【図９】本発明に係る映像配信処理システムにおける他のアンケート情報による映像配信等の説明図である。
【符号の説明】
【００６０】
１１            映像配信処理サーバ
１２            映像配信サーバ
１３            通信ネットワーク
１４            顧客端末
１５            運動施設サーバ
１６            入力端末
２４            アンケート情報格納手段
２５            アンケート情報集計手段
２６            運動プログラム特定手段
２９            運動プログラム情報ＤＢ（データベース）
３４            映像取得手段
３６            映像ＤＢ
４４            映像格納手段
４５            ファイル格納手段
４７            映像再生システム
【図１】
2007065958.tif 000003
【図２】
2007065958.tif 000004
【図３】
2007065958.tif 000005
【図４】
2007065958.tif 000006
【図５】
2007065958.tif 000007
【図６】
2007065958.tif 000008
【図７】
2007065958.tif 000009
【図８】
2007065958.tif 000010
【図９】
2007065958.tif 000011